(57)【要約】【課題】  印刷データを蓄積できない又は蓄積するのに十分な蓄積手段を有しない装置と通信中であっても、該通信中の装置に、印刷データの出力先を指定させ、該出力先において印刷データを出力させることを目的とする。【解決手段】  ＬＡＮ８を介して接続された第一の端末装置１と、画像を入出力する画像入出力装置２と、ＬＡＮ８とは、ＶｏＩＰゲートウェイ４及び公衆交換電話網５を介して接続された第二の端末装置６叉は７と、を有する印刷システムであって、第一の端末装置１は、ＶｏＩＰネットワークに接続する第一呼接続手段と、ＶｏＩＰネットワーク上で、第二の端末装置６叉は７に印刷要求を送信する印刷要求送信手段と、第二の端末装置６叉は７に指定された出力先の画像入出力装置２に対して、第二の端末装置６叉は７を介さず、印刷データを送信する印刷データ送信手段と、を有することによって上記課題を解決する。【選択図】  図１
2006109362.tif 000002
【特許請求の範囲】
【請求項１】
ＬＡＮを介して接続された第一の端末装置と、画像を入出力する画像入出力装置と、該ＬＡＮとは、ＶｏＩＰゲートウェイ及び公衆交換電話網を介して接続された第二の端末装置と、を有する印刷システムであって、
前記第一の端末装置は、
ＶｏＩＰネットワークに接続する第一呼接続手段と、
ＶｏＩＰネットワーク上で、前記第二の端末装置に印刷要求を送信する印刷要求送信手段と、
前記第二の端末装置に指定された出力先の前記画像入出力装置に対して、前記第二の端末装置を介さず、印刷データを送信する印刷データ送信手段と、
を有することを特徴とする印刷システム。
【請求項２】
前記第一の端末装置は、前記第二の端末装置とＶｏＩＰネットワーク上で音声データを送受信する第一音声データ送受信手段を更に有することを特徴とする請求項１記載の印刷システム。
【請求項３】
前記第二の端末装置は、
ＶｏＩＰネットワークに接続する第三呼接続手段と、
前記第一の端末装置とＶｏＩＰネットワーク上で音声データを送受信する第二音声データ送受信手段と、
前記第一の端末装置からの通話中における印刷要求に対して、印刷許可の通知及び出力先の指定を行う第一印刷許可・出力先指定手段と、
を有することを特徴とする請求項１又は２記載の印刷システム。
【請求項４】
前記第二の端末装置は、
ＶｏＩＰネットワークに接続する第二呼接続手段と、
前記第一の端末装置からのＶｏＩＰネットワーク上でのインスタントメッセージによる印刷要求に対して、ＶｏＩＰネットワーク上でのインスタントメッセージによる印刷許可の通知及び出力先の指定を行う第二印刷許可・出力先指定手段と、
を有することを特徴とする請求項１又は２記載の印刷システム。
【請求項５】
ＬＡＮを介して接続された第一の端末装置と、画像を入出力する画像入出力装置と、該ＬＡＮとは、ＶｏＩＰゲートウェイ及び公衆交換電話網を介して接続された第二の端末装置と、を有する印刷システムにおける印刷データ送信方法であって、
前記第一の端末装置が、ＶｏＩＰネットワーク上で、前記第二の端末装置に印刷要求を送信する印刷要求送信段階と、
前記第一の端末装置が、前記第二の端末装置に指定された出力先の前記画像入出力装置に対して、前記第二の端末装置を介さず、印刷データを送信する印刷データ送信段階と、
を有することを特徴とする印刷データ送信方法。
【請求項６】
前記第一の端末装置が、前記第二の端末装置に指定された出力先の前記画像入出力装置と、印刷データ転送セッションを確立する印刷データ転送セッション確立段階を更に有することを特徴とする請求項５記載の印刷データ送信方法。
【請求項７】
請求項５又は６記載の印刷データ送信方法を、コンピュータに実行させることを特徴とするプログラム。
【請求項８】
請求項７記載のプログラムを記録したコンピュータ読み取り可能な記録媒体。
【請求項９】
ＬＡＮを介して、画像を入出力する画像入出力装置と、ＶｏＩＰゲートウェイと、に接続された第一の端末装置であって、
ＶｏＩＰネットワークに接続する第一呼接続手段と、
ＶｏＩＰネットワーク上で、前記ＶｏＩＰゲートウェイ及び公衆交換電話網を介して前記ＬＡＮと接続されている前記第二の端末装置に、印刷要求を送信する印刷要求送信手段と、
前記第二の端末装置に指定された出力先の前記画像入出力装置に対して、前記第二の端末装置を介さず、印刷データを送信する印刷データ送信手段と、
を有することを特徴とする第一の端末装置。
【請求項１０】
前記第二の端末装置とＶｏＩＰネットワーク上で音声データを送受信する第一音声データ送受信手段を更に有することを特徴とする請求項９記載の第一の端末装置。
【発明の詳細な説明】
【技術分野】
【０００１】
本発明は、ＩＰネットワーク環境下における、印刷システム、印刷データ送信方法、プログラム、記録媒体及び第一の端末装置に関する。
【背景技術】
【０００２】
従来、印刷データをプリントするためには、印刷データを一旦蓄積して、該印刷データを蓄積した装置が、印刷データの出力先のプリンタ等を指定し、印刷データを出力先のプリンタ等に送信し、該プリンタ等において印刷データを印刷していた。
【０００３】
なお、ＶｏＩＰネットワークに関する従来技術としては、例えば以下に示す特許文献１〜３がある。
【特許文献１】特開２００４−２１４７２７号公報
【特許文献２】特開２００４−１８６８９３号公報
【特許文献３】特開２００２−１５８７６２号公報
【発明の開示】
【発明が解決しようとする課題】
【０００４】
しかしながら、上述したような方法では、印刷データを蓄積することができない又は蓄積するのに十分な蓄積手段を有しない装置、例えば携帯電話等、は、印刷データの出力先を指定し、例えば印刷等をすることができない問題があった。
【０００５】
つまり、印刷データを蓄積している装置からみれば、通信先が印刷データを蓄積できない又は蓄積するのに十分な蓄積手段を有しない携帯電話等であった場合、印刷データを送信し、蓄積させることができないため、通信先の携帯電話に、プリンタ等の出力先を指定させ、該プリンタにおいて印刷データを印刷させる等ということができない問題があった。
【０００６】
本発明は、上記の点に鑑みなされたもので、印刷データを蓄積できない又は蓄積するのに十分な蓄積手段を有しない装置と通信中であっても、該通信中の装置に、印刷データの出力先を指定させ、該出力先において印刷データを出力させることを目的とする。
【課題を解決するための手段】
【０００７】
そこで、上記課題を解決するため、本発明は、ＬＡＮを介して接続された第一の端末装置と、画像を入出力する画像入出力装置と、該ＬＡＮとは、ＶｏＩＰゲートウェイ及び公衆交換電話網を介して接続された第二の端末装置と、を有する印刷システムであって、前記第一の端末装置は、ＶｏＩＰネットワークに接続する第一呼接続手段と、ＶｏＩＰネットワーク上で、前記第二の端末装置に印刷要求を送信する印刷要求送信手段と、前記第二の端末装置に指定された出力先の前記画像入出力装置に対して、前記第二の端末装置を介さず、印刷データを送信する印刷データ送信手段と、を有することを特徴とする。
【０００８】
本発明によれば、ＬＡＮを介して接続された第一の端末装置と、画像を入出力する画像入出力装置と、該ＬＡＮとは、ＶｏＩＰゲートウェイ及び公衆交換電話網を介して接続された第二の端末装置と、を有する印刷システムであって、前記第一の端末装置は、ＶｏＩＰネットワークに接続する第一呼接続手段と、ＶｏＩＰネットワーク上で、前記第二の端末装置に印刷要求を送信する印刷要求送信手段と、前記第二の端末装置に指定された出力先の前記画像入出力装置に対して、前記第二の端末装置を介さず、印刷データを送信する印刷データ送信手段と、を有することにより、印刷データを蓄積できない又は蓄積するのに十分な蓄積手段を有しない装置と通信中であっても、該通信中の装置に、印刷データの出力先を指定させ、該出力先において印刷データを出力させることができる。
【０００９】
また、上記課題を解決するための手段として、印刷データ送信方法、プログラム、記録媒体及び第一の端末装置としてもよい。
【００１０】
なお、特許請求の範囲に記載の第一の端末装置は、例えば後述するＰＣ１に対応する。また、特許請求の範囲に記載の第二の端末装置は、例えば後述するＰＤＡ６叉は携帯電話７に対応する。また、特許請求の範囲に記載のプログラムは、例えば後述するＰＣプログラムに対応する。
【発明の効果】
【００１１】
本発明によれば、印刷データを蓄積できない又は蓄積するのに十分な蓄積手段を有しない装置と通信中であっても、該通信中の装置に、印刷データの出力先を指定させ、該出力先において印刷データを出力させることができる。
【発明を実施するための最良の形態】
【００１２】
以下、本発明の実施の形態について図面に基づいて説明する。
【実施例１】
【００１３】
図１は、印刷システムのシステム構成図である。図１に示される印刷システムは、ＬＡＮ（Ｌｏｃａｌ  Ａｒｅａ  Ｎｅｔｗｏｒｋ）８を介して少なくとも１台以上のＰＣ（Ｐｅｒｓｏｎａｌ  Ｃｏｍｐｕｔｅｒ）１と、少なくとも１台以上の画像入出力装置２と、ＳＩＰ（Ｓｅｓｓｉｏｎ  Ｉｎｉｔｉａｔｉｏｎ  Ｐｒｏｔｏｃｏｌ）サーバ３と、ＶｏＩＰ（Ｖｏｉｃｅ  ｏｖｅｒ  ＩＰ）  Ｇａｔｅｗａｙ４と、が接続されており、少なくとも１台以上のＰＤＡ（Ｐｅｒｓｏｎａｌ  Ｄｉｇｉｔａｌ  Ａｓｓｉｓｔａｎｔ）６及び／又は少なくとも１台以上の携帯電話７が、ＰＳＴＮ（Ｐｕｂｌｉｃ  Ｓｗｉｔｃｈｅｄ  Ｔｅｌｅｐｈｏｎｅ  Ｎｅｔｗｏｒｋ）５及びＶｏＩＰ  Ｇａｔｅｗａｙ４を介してＬＡＮ８に接続されている。
【００１４】
ここで、ＰＣ１は、印刷データを保持（蓄積）する端末装置であって、ＰＣ１の代わりに、印刷データを蓄積する十分な蓄積手段さえ有していれば、例えばＰＤＡ６等であってもよい。但し、以下では説明の簡略化のため、印刷データを蓄積している端末装置は、ＰＣ１であるとして説明を行う。
【００１５】
画像入出力装置２は、複合機等であって、ＰＣ１から送信された印刷データを受け取って、該印刷データに基づいて印刷等を行う。ＳＩＰサーバ３は、ＶｏＩＰを応用したインターネット電話等で用いられる通話制御のプロトコルであるＳＩＰに基づいた通話等に係るアクセス制御、帯域管理、アドレス解決、登録処理等を行うサーバである。
【００１６】
ＶｏＩＰ  Ｇａｔｅｗａｙ４は、ネットワーク（又はＬＡＮ８）と、ＰＳＴＮ５と、を仲介（相互接続）するＶｏＩＰのゲートウェイである。ＰＤＡ６及び／又は携帯電話７は、ＶｏＩＰネットワークに接続し、例えばＰＣ１等からの印刷要求に応じて、印刷を許可し、出力先を指定する。なお、ここで、ＶｏＩＰネットワークとは、図１に示したＰＣ１、ＳＩＰサーバ３、ＶｏＩＰ  Ｇａｔｅｗａｙ４、ＰＳＴＮ５等を含む、ＶｏＩＰを利用した音声を送受信するネットワークのことである。
【００１７】
ＰＣ１は、ＰＤＡ６及び／又は携帯電話７に指定された出力先の画像入出力装置２と、印刷データ転送用のセッションを確立し、該画像入出力装置２に直接印刷データを送信し、印刷データの印刷等を要求する。
【００１８】
なお、ＰＤＡ６及び／又は携帯電話７による出力先の指定は、ＰＤＡ６及び／又は携帯電話７のユーザからの要求に基づいて指定してもよいし、予めＰＤＡ６及び／又は携帯電話７のプログラム等に設定されている出力先を指定してもよい。
【００１９】
上述したように、ＰＤＡ６及び／又は携帯電話７によって出力先を指定されたＰＣ１等は、現在通信中のＰＤＡ６及び／又は携帯電話７へ印刷データを蓄積せず、直接、画像入出力装置２に印刷データを送信し、印刷データの印刷等を要求する。
【００２０】
以下、ＰＣ１の一例のハードウェア構成を、図２に示す。図２は、ＰＣの一例のハードウェア構成図である。
【００２１】
図２に示されるように、ＰＣ１は、入力装置１１と、表示装置１２と、ドライブ装置１３と、ＲＯＭ（Ｒｅａｄ  Ｏｎｌｙ  Ｍｅｍｏｒｙ）１５と、ＲＡＭ（Ｒａｎｄｏｍ  Ａｃｃｅｓｓ  Ｍｅｍｏｒｙ）１６と、ＣＰＵ（Ｃｅｎｔｒａｌ  Ｐｒｏｃｅｓｓｉｎｇ  Ｕｎｉｔ）１７と、インターフェース装置１８と、ＨＤＤ（Ｈａｒｄ  Ｄｉｓｋ  Ｄｒｉｖｅ）１９と、を含む。
【００２２】
入力装置１１は、ＰＣ１の利用者が操作するキーボードや、マウス、ヘッドセットマイク等で構成され、ＰＣ１に各種操作信号等を入力するのに用いられる。表示装置１２は、ＰＣ１の利用者が利用するディスプレイ等で構成され、各種情報を表示する。インターフェース装置１８は、ＰＣ１をネットワーク等に接続するインターフェースである。
【００２３】
後述する図４に示すＰＣ１の各機能を実現させるプログラム（以下、ＰＣプログラムという）等は、初めからＰＣ１にインストールされているか、例えばＣＤ−ＲＯＭ等の記録媒体１４によってＰＣ１に提供されるか、ネットワークを通じてダウンロードされる。記録媒体１４は、ドライブ装置１３にセットされ、ＰＣプログラムが記録媒体１４からドライブ装置１３を介してＨＤＤ１９にインストールされる。
【００２４】
ＲＯＭ１５は、データ等を格納する。ＲＡＭ１６は、ＰＣ１の起動時にＨＤＤ１９からＰＣプログラム等を読み出して格納する。ＣＰＵ１７は、ＲＡＭ１６に読み出され格納されたＰＣプログラム等に従って処理を実行する。
【００２５】
ＨＤＤ１９は、ＰＣプログラムや、印刷データ等を格納する。
【００２６】
以下、携帯電話７の一例のハードウェア構成を、図３に示す。図３は、携帯電話の一例のハードウェア構成図である。
【００２７】
図３に示されるように、携帯電話７は、入力装置２１と、表示装置２２と、ドライブ装置２３と、ＲＯＭ（Ｒｅａｄ  Ｏｎｌｙ  Ｍｅｍｏｒｙ）２５と、ＲＡＭ（Ｒａｎｄｏｍ  Ａｃｃｅｓｓ  Ｍｅｍｏｒｙ）２６と、ＣＰＵ（Ｃｅｎｔｒａｌ  Ｐｒｏｃｅｓｓｉｎｇ  Ｕｎｉｔ）２７と、無線装置２８と、を含む。
【００２８】
入力装置２１は、携帯電話７の利用者が操作する操作ボタン又は入力ボタン、マイク等で構成され、携帯電話７に各種操作信号等を入力するのに用いられる。表示装置２２は、携帯電話７の利用者が利用するディスプレイ等で構成され、各種情報を表示する。無線装置２８は、携帯電話７をＰＳＴＮ５等に接続するインターフェースである。
【００２９】
後述する図５に示す携帯電話７の各機能を実現させるプログラム（以下、携帯電話プログラムという）等は、初めから携帯電話７にインストールされているか、例えばｍｉｎｉＳＤ等の記録媒体２４によって携帯電話７に提供されるか、ネットワークを通じてダウンロードされる。記録媒体２４は、ドライブ装置２３にセットされ、携帯電話プログラムが記録媒体２４からドライブ装置２３を介してＲＯＭ２５又はＲＡＭ２６にインストールされる。
【００３０】
ＲＯＭ２５は、データや、例えば携帯電話プログラム等を格納する。ＲＡＭ２６は、例えば携帯電話７の起動時にＲＯＭ２５等から携帯電話プログラム等を読み出して格納するか、又は自身で携帯電話プログラムを保持する。ＣＰＵ２７は、ＲＡＭ２６に読み出され格納された、又はＲＡＭ２６が保持する携帯電話プログラム等に従って処理を実行する。
【００３１】
ここで、携帯電話７が、ＨＤＤ等をハードウェア構成として含んでいてもよいが、印刷データを蓄積するのに十分なＨＤＤは保持していないものとする。
【００３２】
なお、ＰＤＡ６のハードウェア構成や機能構成等は、後述する実施例２に示す。ここで、ＰＤＡ６は、実施例１で示す携帯電話７と同様のハードウェア構成及び機能構成であってもよい。但し、以下では説明の簡略化のため、携帯電話７とＰＤＡ６とは、ハードウェア構成及び機能構成が異なるものとして説明を行う。
【００３３】
以下、ＰＣ１の一例の機能構成を図４に示す。図４は、ＰＣの一例の機能構成図である。図４に示されるように、ＰＣ１は、第一呼接続部１０１と、第一音声データ送受信部１０２と、印刷要求送信部１０３と、印刷データ送信部１０４と、を含む。
【００３４】
第一呼接続部１０１は、当該ＰＣ１を、ＶｏＩＰネットワークに接続する接続部である。第一音声データ送受信部１０２は、ＶｏＩＰネットワークを介し、ＰＤＡ６及び／又は携帯電話７等と音声データを送受信する音声データ送受信部である。印刷要求送信部１０３は、ＶｏＩＰネットワークを介し、ＰＤＡ６及び／又は携帯電話７等に印刷要求を送信する要求送信部である。印刷データ送信部１０４は、ＰＤＡ６及び／又は携帯電話７等に指定された出力先の画像入出力装置２に対して、ＰＤＡ６及び／又は携帯電話７等を介さず、印刷データを送信する印刷データ送信部である。
【００３５】
以下、携帯電話７の機能構成を図５に示す。図５は、携帯電話の一例の機能構成図である。図５に示されるように、携帯電話７は、第二呼接続部２０１と、第二音声データ送受信部２０２と、第一印刷許可・出力先指定部２０３と、を含む。第二呼接続部２０１は、当該携帯電話７を、ＶｏＩＰネットワークに接続する接続部である。第二音声データ送受信部２０２は、ＶｏＩＰネットワークを介し、ＰＣ１等と音声データを送受信する音声データ送受信部である。第一印刷許可・出力先指定部２０３は、ＰＣ１等からの通話中における印刷要求に対して、印刷許可の通知及び出力先の指定を行う印刷許可及び出力先指定部である。
【００３６】
なお、ＰＣ１及び／又は携帯電話７は、音声を認識する音声認識部等を機能構成として含むようにしてもよい。
【００３７】
以下、出力先指定処理の一例を、図６に示す。図６は、出力先指定処理の一例のフローチャートである。なお、以下、図６及び図７では、出力先を指定するのは携帯電話７であるとして説明を行う。
【００３８】
ステップＳ１において、例えばＰＣ１が、出力先を指定する携帯電話７と接続する。なお、接続する一例として、例えば後述する図７に示すように、ＰＣ１が、携帯電話７と、音声セッションを張る。
【００３９】
ステップＳ１に続いてステップＳ２に進み、ＰＣ１から印刷要求を携帯電話７に送信する。例えば、ＰＣ１は、当該ＰＣ１のユーザの音声を受付けて、印刷を要求するＰＣ１のユーザの音声を印刷要求として携帯電話７に送信する。
【００４０】
ステップＳ２に続いてステップＳ３に進み、携帯電話７は、印刷を受諾（許可）するか否かを判定する。携帯電話７は、印刷を受諾すると判定すると（ステップＳ３においてＹＥＳ）、ステップＳ４に進み、印刷を受諾しないと判定すると（ステップＳ３においてＮＯ）、処理を終了する。携帯電話７は、例えば当該携帯電話７のユーザの音声又は該ユーザによる操作ボタン等の操作に基づいて、印刷を受諾するか否かを判定する。
【００４１】
ステップＳ３に続いてステップＳ４に進み、携帯電話７は、ＰＣ１に対して出力先の画像入出力装置２を指定する。携帯電話７は、当該携帯電話７のユーザの音声又は該ユーザによる操作ボタン等の操作に基づいて、出力先の画像入出力装置２を指定してもよいし、当該携帯電話７のプログラム（携帯電話プログラム）等に設定されている出力先に基づいて、出力先の画像入出力装置２を指定してもよい。
【００４２】
ステップＳ４に続いてステップＳ５に進み、ＰＣ１は、携帯電話７によって指定された出力先の画像入出力装置２と、印刷データ転送セッションを確立する。
【００４３】
ステップＳ５に続いてステップＳ６に進み、ＰＣ１は、携帯電話７によって指定された出力先の画像入出力装置２に、直接、印刷データを転送する。
【００４４】
ステップＳ６に続いてステップＳ７に進み、携帯電話７によって指定された出力先の画像入出力装置２は、ＰＣ１から直接転送されてきた印刷データに基づいて、印刷を開始する。
【００４５】
図６に示すような処理を行うことによって、例えばＰＣ１は、印刷データを蓄積できない又は蓄積するのに十分な蓄積手段を有しない携帯電話７等と通信中（通話中）であっても、該通信中の携帯電話７に印刷データの出力先を指定させ、該携帯電話７を介さず、印刷データを直接出力先に転送し、該出力先において印刷データを印刷させることができる。
【００４６】
以下、電話中に携帯電話７のユーザが携帯電話７を用いて出力先を指定し、ＰＣ１と画像入出力装置２とで印刷データ転送セッションを確立する処理の一例のシーケンスを、図７に示す。図７は、電話中に携帯電話のユーザが携帯電話を用いて出力先を指定し、ＰＣと画像入出力装置とで印刷データ転送セッションを確立する処理の一例のシーケンス図である。
【００４７】
初めに、ＰＣ１は、携帯電話７のユーザをコールに招待するＩＮＶＩＴＥリクエストを、ＳＩＰサーバ３を介して携帯電話７に送信する（シーケンスＳＱ１及びシーケンスＳＱ２）。
【００４８】
ＩＮＶＩＴＥリクエストを受信したＳＩＰサーバ３は、ＩＮＶＩＴＥリクエストを受信し、処理を実行中であることを示す、暫定応答である１００  Ｔｒｙｉｎｇを、ＰＣ１に返す（シーケンスＳＱ３）。また、ＩＮＶＩＴＥリクエストを受信した携帯電話７は、１００  Ｔｒｙｉｎｇを、ＳＩＰサーバ３に返す（シーケンスＳＱ４）一方、自身が呼ばれていることを、呼び出し音や携帯電話７の画面上で携帯電話７のユーザに通知し、暫定応答である１８０Ｒｉｎｇｉｎｇを、ＳＩＰサーバ３を介してＰＣ１に返す（シーケンスＳＱ５及びシーケンスＳＱ６）。
【００４９】
ここで、携帯電話７のユーザが呼び出しに応じれば、携帯電話７は、２００  ＯＫを、ＳＩＰサーバ３を介してＰＣ１に返す（シーケンスＳＱ７及びシーケンスＳＱ８）。
【００５０】
２００  ＯＫを受け取ったＰＣ１は、ＡＣＫ（ａｃｋｎｏｗｌｅｄｇｅ）を携帯電話７に送信する（シーケンスＳＱ９）。
【００５１】
上述したシーケンスＳＱ１からシーケンスＳＱ９の処理を行うことによって、ＰＣ１と、携帯電話７と、は、音声セッションを確立する。
【００５２】
次にＰＣ１は、印刷要求であるＩＮＶＩＴＥリクエストを、携帯電話７に送信する（シーケンスＳＱ１０）。
【００５３】
ＩＮＶＩＴＥリクエストを受信した携帯電話７は、印刷を許可（受諾）するか否かを判定し、印刷を許可すると判定すると、出力先の画像入出力装置２を指定し、該指定した出力先の画像入出力装置２を含む２００  ＯＫを、ＰＣ１に返す（シーケンスＳＱ１１）。
【００５４】
出力先の画像入出力装置２を含む２００  ＯＫを携帯電話７より受け取ったＰＣ１は、該画像入出力装置２と印刷データの転送セッションを確立するＩＮＶＩＴＥリクエストを、該画像入出力装置２に送信する（シーケンスＳＱ１２）。
【００５５】
ＩＮＶＩＴＥリクエストを受信した画像入出力装置２は、ＩＮＶＩＴＥリクエストを受信し、処理を実行中であることを示す、暫定応答である１００  Ｔｒｙｉｎｇを、ＰＣ１に返す（シーケンスＳＱ１３）一方、自身が呼ばれていることを、画像入出力装置２のデーモンプロセス等に通知し、暫定応答である１８３  Ｓｅｓｓｉｏｎ  ＰｒｏｇｒｅｓｓをＰＣ１に返す（シーケンスＳＱ１４）。
【００５６】
ここで、画像入出力装置２のデーモンプロセス等が呼び出しに応じれば、画像入出力装置２は、２００  ＯＫを、ＰＣ１に返す（シーケンスＳＱ１５）。
【００５７】
２００  ＯＫを受け取ったＰＣ１は、ＡＣＫを画像入出力装置２に送信する（シーケンスＳＱ１６）。
【００５８】
上述したシーケンスＳＱ１０からシーケンスＳＱ１６の処理を行うことによって、ＰＣ１と、画像入出力装置２と、は、印刷データ転送セッションを確立する。
【００５９】
図７に示したような処理を行うことによって、ＰＣ１と、携帯電話７と、は、音声セッションを確立した上で、例えば通話中に、ＰＣ１は、携帯電話７に、印刷要求を送信し、携帯電話７は、印刷を許可し、出力先の画像入出力装置２等を指定することができる。また、ＰＣ１は、携帯電話７によって指定された画像入出力装置２と、印刷データ転送セッションを確立し、直接画像入出力装置２に、印刷データを送信し、印刷させることができる。
【実施例２】
【００６０】
以下、ＰＤＡ６の一例のハードウェア構成を、図８に示す。図８は、ＰＤＡの一例のハードウェア構成図である。
【００６１】
図８に示されるように、ＰＤＡ６は、入力・表示装置３１と、ドライブ装置３３と、ＲＯＭ３５と、ＲＡＭ３６と、ＣＰＵ３７と、インターフェース装置３８と、ＨＤＤ３９と、を含む。
【００６２】
入力・表示装置３１は、液晶スクリーン等で構成され、ＰＤＡ６に各種操作信号等を入力したり、ＰＤＡ６が各種情報を表示したりするのに用いられる。インターフェース装置３８は、ＰＤＡ６をＰＳＴＮ５等に接続するインターフェースである。
【００６３】
後述する図９に示すＰＤＡ６の各機能を実現させるプログラム（以下、ＰＤＡプログラムという）等は、初めからＰＤＡ６にインストールされているか、例えばＳＤメモリーカード等の記録媒体３４によってＰＤＡ６に提供されるか、ネットワークを通じてダウンロードされる。記録媒体３４は、ドライブ装置３３にセットされ、ＰＤＡプログラムが記録媒体３４からドライブ装置３３を介してＨＤＤ３９にインストールされる。
【００６４】
ＲＯＭ３５は、データ等を格納する。ＲＡＭ３６は、ＰＤＡ６の起動時にＨＤＤ３９からＰＤＡプログラム等を読み出して格納する。ＣＰＵ３７は、ＲＡＭ３６に読み出され格納されたＰＤＡプログラム等に従って処理を実行する。
【００６５】
ＨＤＤ３９は、ＰＤＡプログラム等を格納する。なお、本実施例においては、ＨＤＤ３９は、印刷データを蓄積するには十分でないものとして説明を行う。
【００６６】
以下、ＰＤＡ６の機能構成を図９に示す。図９は、ＰＤＡの一例の機能構成図である。図９に示されるように、ＰＤＡ６は、第三呼接続部３０１と、第二印刷許可・出力先指定部３０２と、を含む。第三呼接続部３０１は、当該ＰＤＡ６を、ＶｏＩＰネットワークに接続する接続部である。第二印刷許可・出力先指定部３０２は、ＰＣ１等からのＶｏＩＰネットワークを介したインスタントメッセージによる印刷要求に対して、ＶｏＩＰネットワークを介したインスタントメッセージによる印刷許可の通知及び出力先の指定を行う印刷許可及び出力先指定部である。
【００６７】
以下、通信中にＰＤＡ６のユーザがＰＤＡ６を用いて出力先を指定し、ＰＣ１と画像入出力装置２とで印刷データ転送セッションを確立する処理の一例のシーケンスを、図１０に示す。図１０は、通信中にＰＤＡのユーザがＰＤＡを用いて出力先を指定し、ＰＣと画像入出力装置とで印刷データ転送セッションを確立する処理の一例のシーケンス図である。
【００６８】
初めに、ＰＣ１と、ＰＤＡ６と、は、セッション（通信セッション）を確立しているものとする。
【００６９】
ＰＣ１と、ＰＤＡ６と、のセッション確立後、ＰＣ１は、印刷要求であるＩＮＶＩＴＥリクエストを、インスタントメッセージを用いてＰＤＡ６に送信する（シーケンスＳＱ２０）。
【００７０】
ＩＮＶＩＴＥリクエストを受信したＰＤＡ６は、印刷を許可（受諾）するか否かを判定し、印刷を許可すると判定すると、出力先の画像入出力装置２を指定し、該指定した出力先の画像入出力装置２を含む２００  ＯＫを、インスタントメッセージを用いてＰＣ１に返す（シーケンスＳＱ２１）。
【００７１】
出力先の画像入出力装置２を含む２００  ＯＫをＰＤＡ６より受け取ったＰＣ１は、該画像入出力装置２と印刷データの転送セッションを確立するＩＮＶＩＴＥリクエストを、該画像入出力装置２に送信する（シーケンスＳＱ２２）。
【００７２】
ＩＮＶＩＴＥリクエストを受信した画像入出力装置２は、ＩＮＶＩＴＥリクエストを受信し、処理を実行中であることを示す、暫定応答である１００  Ｔｒｙｉｎｇを、ＰＣ１に返す（シーケンスＳＱ２３）一方、自身が呼ばれていることを、画像入出力装置２のデーモンプロセス等に通知し、暫定応答である１８３  Ｓｅｓｓｉｏｎ  ＰｒｏｇｒｅｓｓをＰＣ１に返す（シーケンスＳＱ２４）。
【００７３】
ここで、画像入出力装置２のデーモンプロセス等が呼び出しに応じれば、画像入出力装置２は、２００  ＯＫを、ＰＣ１に返す（シーケンスＳＱ２５）。
【００７４】
２００  ＯＫを受け取ったＰＣ１は、ＡＣＫを画像入出力装置２に送信する（シーケンスＳＱ２６）。
【００７５】
上述したシーケンスＳＱ２０からシーケンスＳＱ２６の処理を行うことによって、ＰＣ１と、画像入出力装置２と、は、印刷データ転送セッションを確立する。
【００７６】
図１０に示したような処理を行うことによって、ＰＣ１と、ＰＤＡ６と、は、通信セッションを確立した上で、例えば通信中に、ＰＣ１は、ＰＤＡ６に、インスタントメッセージを用いて印刷要求を送信し、ＰＤＡ６は、印刷を許可し、インスタントメッセージを用いて出力先の画像入出力装置２等を指定することができる。また、ＰＣ１は、ＰＤＡ６によって指定された画像入出力装置２と、印刷データ転送セッションを確立し、直接画像入出力装置２に、印刷データを送信し、印刷させることができる。
【００７７】
以上、本発明の好ましい実施例について詳述したが、本発明は係る特定の実施形態に限定されるものではなく、特許請求の範囲に記載された本発明の要旨の範囲内において、種々の変形・変更が可能である。
【図面の簡単な説明】
【００７８】
【図１】印刷システムのシステム構成図である。
【図２】ＰＣの一例のハードウェア構成図である。
【図３】携帯電話の一例のハードウェア構成図である。
【図４】ＰＣの一例の機能構成図である。
【図５】携帯電話の一例の機能構成図である。
【図６】出力先指定処理の一例のフローチャートである。
【図７】電話中に携帯電話のユーザが携帯電話を用いて出力先を指定し、ＰＣと画像入出力装置とで印刷データ転送セッションを確立する処理の一例のシーケンス図である。
【図８】ＰＤＡの一例のハードウェア構成図である。
【図９】ＰＤＡの一例の機能構成図である。
【図１０】通信中にＰＤＡのユーザがＰＤＡを用いて出力先を指定し、ＰＣと画像入出力装置とで印刷データ転送セッションを確立する処理の一例のシーケンス図である。
【符号の説明】
【００７９】
１      ＰＣ
２      画像入出力装置
３      ＳＩＰサーバ
４      ＶｏＩＰ  Ｇａｔｅｗａｙ
５      ＰＳＴＮ
６      ＰＤＡ
７      携帯電話
１０１  第一呼接続部
１０２  第一音声データ送受信部
１０３  印刷要求送信部
１０４  印刷データ送信部
２０１  第二呼接続部
２０２  第二音声データ送受信部
２０３  第一印刷許可・出力先指定部
３０１  第三呼接続部
３０４  第二印刷許可・出力先指定部
【図１】
2006109362.tif 000003
【図２】
2006109362.tif 000004
【図３】
2006109362.tif 000005
【図４】
2006109362.tif 000006
【図５】
2006109362.tif 000007
【図６】
2006109362.tif 000008
【図７】
2006109362.tif 000009
【図８】
2006109362.tif 000010
【図９】
2006109362.tif 000011
【図１０】
2006109362.tif 000012